(57)【要約】【課題】  留守録や転送などの電話通信機能を有効に機能させる、しかも、通信品質の低下を防止できる電話通信装置を提供する。【解決手段】  本発明の電話通信装置は、通信能力の要求を含む発呼メッセージを受信したときに、電話通信機能の設定状態を判定する状態判定手段と、状態判定手段の判定結果が複数の設定状態の中の第１の設定状態であるという結果のときに、発呼メッセージにおける通信能力の要求に対応できる通信能力を記述した第１の応答メッセージを形成して送信する第１の応答手段と、状態判定手段の判定結果が第２の設定状態であるという結果のときに、発呼メッセージにおける通信能力の要求以下の、予め定められている電話通信機能実行時用の通信能力、又は、予め定められている電話通信機能実行時用の通信能力範囲内の通信能力を記述した第２の応答メッセージを形成して送信する第２の応答手段とを有する。【選択図】      図１
2008182617.tif 000002
【特許請求の範囲】
【請求項１】
電話通信機能を実行する電話通信装置において、
通信能力の要求を含む発呼メッセージを受信したときに、前記電話通信機能の設定状態を判定する状態判定手段と、
前記状態判定手段の判定結果が前記電話通信機能の複数の設定状態の中の第１の設定状態であるという結果のときに、前記発呼メッセージにおける通信能力の要求に対応できる通信能力を記述した第１の応答メッセージを形成して送信する第１の応答手段と、
前記状態判定手段の判定結果が前記電話通信機能の複数の設定状態の中の第２の設定状態であるという結果のときに、前記発呼メッセージにおける通信能力の要求以下の、予め定められている前記電話通信機能実行時用の通信能力、又は、予め定められている前記電話通信機能実行時用の通信能力範囲内の通信能力を記述した第２の応答メッセージを形成して送信する第２の応答手段と
を有することを特徴とする電話通信装置。
【請求項２】
当該電話通信装置が電話端末であることを特徴とする請求項１に電話通信装置。
【請求項３】
当該電話通信装置が電話通信用キャリアサーバであることを特徴とする請求項１に電話通信装置。
【請求項４】
請求項１に記載の電話通信装置を構成要素として含むことを特徴とする電話通信システム。
【請求項５】
電話端末又は電話通信用キャリアサーバに搭載されているコンピュータを、
通信能力の要求を含む発呼メッセージを受信したときに、電話通信機能の設定状態を判定する状態判定手段と、
前記状態判定手段の判定結果が前記電話通信機能の複数の設定状態の中の第１の設定状態であるという結果のときに、前記発呼メッセージにおける通信能力の要求に対応できる通信能力を記述した第１の応答メッセージを形成して送信する第１の応答手段と、
前記状態判定手段の判定結果が前記電話通信機能の複数の設定状態の中の第２の設定状態であるという結果のときに、前記発呼メッセージにおける通信能力の要求以下の、予め定められている前記電話通信機能実行時用の通信能力、又は、予め定められている前記電話通信機能実行時用の通信能力範囲内の通信能力を記述した第２の応答メッセージを形成して送信する第２の応答手段と
して機能させることを特徴とする電話通信用プログラム。
【発明の詳細な説明】
【技術分野】
【０００１】
本発明は電話通信装置、電話通信システム及び電話通信用プログラムに関し、例えば、ＳＩＰ（Ｓｅｓｓｉｏｎ  Ｉｎｉｔｉａｔｉｏｎ  Ｐｒｏｔｏｃｏｌ）を採用しているＳＩＰ網（主にＶｏＩＰ；Ｖｏｉｃｅ  ｏｖｅｒ  ＩＰ）対応のテレビ電話端末又はキャリアのサーバに適用し得るものである。
【背景技術】
【０００２】
一般に、ＳＩＰ網でテレビ電話用の通信路を確立する場合、発信側は、発呼メッセージであるＩＮＶＩＴＥメッセージ内に、発信側の通信能力（例えば、音声通信帯域や映像通信帯域など）をリストとして設定し、着信側に通知する。着信側は、受信したＩＮＶＩＴＥメッセージの内容を確認し、許容できる能力であれば、呼出動作を行うと共に、暫定応答（１８０  Ｒｉｎｇｉｎｇ）メッセージを発信側に返信する。発信側は、暫定応答メッセージを受信すると、呼出中音の再生を実施する。
【０００３】
この後、着信側利用者が、応答（電話の場合はオフフックなど）すると、着信側が肯定的な最終応答（２００  ＯＫ）メッセージを発信側に送信する。着信側は、この肯定的な最終応答メッセージに、ＩＮＶＩＴＥメッセージで受信した通信能力から、着信側が選択した能力を設定する（多くの場合、受信した通信能力の中の最大能力が選択される）。これにより、発着信端末間の能力が整合され、通信路が確立されて通信状態となる。
【０００４】
着信側端末において、留守録モードが設定されているときの応答時も、図６に示すように、着信側の応答が留守番電話応答となる点を除き、上述したような通信路を確立する場合の一般的な流れと同じになっている（非特許文献１参照）。着信側端末においては、留守録モードが設定されているときに通信路を確立させると、記憶装置上に記憶領域を確保し、その記憶領域に留守番電話内容を記憶する。
【非特許文献１】日本国特許庁、「インターネットプロトコル電話（ＩＰ電話）技術」、２００２年６月２８日、インターネット＜ｈｔｔｐ：／／ｗｗｗ．ｊｐｏ．ｇｏ．ｊｐ／ｓｈｉｒｙｏｕ／ｓ  ｓｏｎｏｔａ／ｈｙｏｕｊｕｎ  ｇｉｊｕｔｓｕ／ｉｐ  ｔｅｌ／ｍｏｋｕｊｉ．ｈｔｍｌ＞
【発明の開示】
【発明が解決しようとする課題】
【０００５】
しかしながら、着信側端末において、発呼に対する通常の応答時と留守番電話応答時の処理が同様であるため、利用者が良い映像品質を求め、端末に対する通信能力の設定を大きくした場合、大きい通信帯域で通信路が確立される。このような場合、通信帯域の大きさに比例して留守番電話応答時に記録する留守番電話に必要な記憶容量が大きくなる。特に、テレビ電話の内容を留守録する場合であると、音声信号だけでなく映像信号も記憶するため、１件当たりの必要な記録容量は大きくなる。例えば、音声通信帯域をａ、映像通信帯域をｂとし、１件の記憶秒数をＸとすると、（ａ＋ｂ）×Ｘ＋固定値が１件当たりの記憶容量となる（なお、固定値は留守録開始時刻などの書誌情報を記憶するための容量である）。
【０００６】
このため、発呼に対する通常の応答時と留守番電話応答時の処理が同様である従来技術では、記憶装置の容量を小さく設定しておくと、必要とされる件数の留守番電話が記録できず利用者にとって使い勝手が悪くなるという課題、若しくは、記憶装置の大容量化が必要になって装置価格が高くなるという課題が発生する。
【０００７】
また、上述の課題を回避しようとして、通信帯域を小さくするように端末に設定した場合には、通信品質が低下するため、利用者にとって使い勝手が悪くなるという課題が発生する。
【０００８】
留守番電話機能は、利用者が外出先にいるときに記憶することで対応する機能であるが、その他、利用者が外出先にいるときにそこへ転送する転送機能に対応できる電話端末も存在する。着信端末及び転送先端末間の許容可能な通信能力が、発信端末及び着信端末間の許容可能な通信能力と一致するとは限らない。
【０００９】
このような状況で、発信端末に要求能力に応じた能力を返答しても転送機能が十分に機能しないこともあり得る。すなわち、上述した留守番電話機能の場合と同様に、返答する能力を一律に定めていることにより、不都合を生じることもある。
【００１０】
留守番電話機能や転送機能以外の電話通信機能でも、発信端末に返答する能力をその機能の実行有無に拘わらず一律に定めていることにより、不都合を生じる恐れがある。
【００１１】
そのため、所定の電話通信機能を有効に機能させることができる、しかも、通信品質の低下を防止できる電話通信装置、電話通信システム及び電話通信用プログラムが望まれている。
【課題を解決するための手段】
【００１２】
第１の本発明は、電話通信機能を実行する電話通信装置において、（１）通信能力の要求を含む発呼メッセージを受信したときに、前記電話通信機能の設定状態を判定する状態判定手段と、（２）前記状態判定手段の判定結果が前記電話通信機能の複数の設定状態の中の第１の設定状態であるという結果のときに、前記発呼メッセージにおける通信能力の要求に対応できる通信能力を記述した第１の応答メッセージを形成して送信する第１の応答手段と、（３）前記状態判定手段の判定結果が前記電話通信機能の複数の設定状態の中の第２の設定状態であるという結果のときに、前記発呼メッセージにおける通信能力の要求以下の、予め定められている前記電話通信機能実行時用の通信能力、又は、予め定められている前記電話通信機能実行時用の通信能力範囲内の通信能力を記述した第２の応答メッセージを形成して送信する第２の応答手段とを有することを特徴とする。
【００１３】
第２の本発明の電話通信システムは、第１の本発明の電話通信装置を構成要素として含むことを特徴とする。
【００１４】
第３の本発明の電話通信用プログラムは、（０）電話端末又は電話通信用キャリアサーバに搭載されているコンピュータを、（１）通信能力の要求を含む発呼メッセージを受信したときに、電話通信機能の実行有無状態を判定する状態判定手段と、（２）前記状態判定手段の判定結果が前記電話通信機能の複数の設定状態の中の第１の設定状態であるという結果のときに、前記発呼メッセージにおける通信能力の要求に対応できる通信能力を記述した第１の応答メッセージを形成して送信する第１の応答手段と、（３）前記状態判定手段の判定結果が前記電話通信機能の複数の設定状態の中の第２の設定状態であるという結果のときに、前記発呼メッセージにおける通信能力の要求以下の、予め定められている前記電話通信機能実行時用の通信能力、又は、予め定められている前記電話通信機能実行時用の通信能力範囲内の通信能力を記述した第２の応答メッセージを形成して送信する第２の応答手段として機能させることを特徴とする。
【発明の効果】
【００１５】
本発明によれば、留守録や転送などを行う際の発呼メッセージに対する応答では、一般的な応答での通信能力より、平均的に見て低くなる能力を含めるようにしたので、所定の電話通信機能を有効に機能させることができる、しかも、通信品質の低下を防止できる電話通信装置、電話通信システム及び電話通信用プログラムを提供できる。
【発明を実施するための最良の形態】
【００１６】
（Ａ）主たる実施形態
以下、本発明による電話通信装置、電話通信システム及び電話通信用プログラムを、ＳＩＰ網対応のテレビ電話端末（の留守番電話の実現構成）に適用した一実施形態を、図面を参照しながら説明する。
【００１７】
（Ａ−１）実施形態の構成
図２は、実施形態のテレビ電話端末のハードウェア構成を示すブロック図である。
【００１８】
図２において、この実施形態のテレビ電話端末１００は、ＣＰＵ１、ワークメモリ２、プログラムメモリ３、液晶表示制御手段４、液晶ディスプレイ５、カメラ制御手段６、カメラモジュール７、スピーカ制御手段８、スピーカ９、マイク制御手段１０、マイクロフォン１１、ＬＡＮコントローラ１２、キー操作部１３などを有している。
【００１９】
ＣＰＵ１は、当該テレビ電話端末の全体の制御を司るものであり、メモリバスを通じてワークメモリ２やプログラムメモリ３と接続し、ＰＣＩバスなどを通じて液晶表示制御手段４やカメラ制御手段６やスピーカ制御手段９やマイク制御手段１１に接続し、通信系バスを通じてＬＡＮコントローラ１３に接続し、入出力バスを通じてキー操作部１４に接続している。
【００２０】
ワークメモリ２は、ＣＰＵ１による処理プログラムの実行に使用されるワーキングエリアであり、例えばＳＤＲＡＭ等で構成されている。例えば、ワークメモリ２を構成する、一部（１個又は複数）の半導体メモリが、留守番電話内容を記憶するものとして使用される。
【００２１】
プログラムメモリ３は、ＣＰＵ１が実行する処理プログラムや処理に用いる固定データなどを記憶しているものであり、例えば、ＲＯＭやフラッシュメモリ（ＦＬＡＳＨ）等が該当する。
【００２２】
図３は、プログラムメモリ３に記憶されている処理プログラムの一部を示す説明図である。
【００２３】
プログラムメモリ３に記憶されている処理プログラムは、留守番電話機能に係るプログラム部分として、ＳＩＰに従った呼制御を実行させる呼制御プロセス３Ａと、留守番電話内容を記憶する記憶領域を確保した上で留守番電話内容を記憶領域に記憶させるファイルシステム３Ｃと、留守録モードの設定有無を内部に保持し、留守録モードの設定時に留守番電話内容の記憶動作を起動して記憶させるシステム制御プロセス３Ｂを有する。この実施形態の場合、システム制御プロセス３Ｂには、留守録モードでの能力（この実施形態の場合、映像通信帯域（ｂｐｓ））の上限値ｃが記載されており、この上限値ｃは、通常のテレビ電話の通信時における当該端末での能力の上限値より小さく選定されており、また、最も多くの種類のテレビ電話が発呼時に要求することが多い能力の値より小さく選定されている。
【００２４】
液晶表示制御手段４は、ＣＰＵ１の制御の下、通信相手の端末から受信した映像信号をＣＰＵ１から受け取り、液晶ディスプレイ５に映像を表示させる制御を行うものである。なお、液晶表示制御手段４には、ＣＰＵ１の制御下で、留守番電話内容の再生時にも、記憶領域から読み出された映像信号が与えられ、液晶ディスプレイ５に映像を表示させる制御を行う。液晶表示制御手段４は、符号化されている映像信号を復号するデコーダやＬＣＤコントローラを有している。液晶表示制御手段４のデコーダは、留守番電話内容の再生時には、与えられた映像信号の能力に応じた復号処理を行う。
【００２５】
液晶ディスプレイ５は、液晶表示制御手段４の制御下で映像を表示するものであり、既存の液晶ディスプレイを適用することができる。
【００２６】
カメラモジュール６は、撮影した映像を電気信号に変換し、その変換した電気信号（映像信号）をカメラ制御手段７に与えるものである。カメラモジュール９としては、例えばＣＭＯＳカメラやＣＣＤカメラなどを適用できる。
【００２７】
カメラ制御手段７は、ＣＰＵ１の制御下で、カメラモジュール８の動作を制御するものである。カメラ制御手段７は、カメラモジュール６の動作（例えば、オンオフなど）を制御するカメラコントローラと、カメラモジュール６からの映像信号に所定の符号化処理を施してＣＰＵ１に与えるエンコーダ部とを有する。
【００２８】
スピーカ９は、音声信号を発音出力するものである。スピーカ制御手段８は、ＣＰＵ１の制御下で、通信相手の端末から受信した音声信号、若しくは、再生された留守番電話内容における音声信号を復号し、スピーカ９から音声信号を発音出力させるものである。
【００２９】
マイクロフォン１１は、利用者の発声音声を捕捉して電気信号（音声信号）に変換するものである。マイク制御手段１０は、ＣＰＵ１の制御下で、マイクロフォン１１に音声の捕捉動作を実行させ、捕捉された音声信号を符号化してＣＰＵ１に与えるものである。
【００３０】
スピーカ９及びマイクロフォン１１は、ハンドセットとして設けられているものであっても良く、また、ヘッドセットとして設けられているものであっても良く、さらに、装置筐体に組み込まれているものであっても良い。
【００３１】
ＬＡＮコントローラ１２は、ＩＰネットワークとの間でＩＰパケットを授受するものである。ＬＡＮコントローラ１２は、受信したＩＰパケットをＣＰＵ１に与えてメッセージや映像信号や音声信号などをＣＰＵ１に取得させたり、ＣＰＵ１が送信しようとするメッセージや映像信号や音声信号などから組み立てたＩＰパケットをＩＰネットワークに送信するものである。
【００３２】
キー操作部１３は、各種のキーを備え、操作されたキーに応じた情報をＣＰＵ１に与えるものである。利用者は、例えば、キー操作部１３に対する操作によって、発信先番号を入力したり、留守録モードを予め設定したり、呼出されている最中に留守録モードを指示したりすることができる。また、ハンドセットを持ち上げることなくオフフックを指示したりすることができる。
【００３３】
以上では、実施形態のテレビ電話端末が独立した装置のように説明したが、パソコンなどを利用したソフトフォンであっても良いことは勿論である。
【００３４】
（Ａ−２）実施形態の動作
次に、以上のような構成を有する実施形態のテレビ電話端末１００における留守番電話機能に関係する動作を説明する。すなわち、留守番電話機能に関係する動作を、一般的な着信時の動作との比較で説明し、着信転送機能などの他の機能については言及しないこととする。
【００３５】
利用者は、例えば、外出する前において、キー操作部１３に留守録モードの設定操作を行い、フローチャートは省略するが、ＣＰＵ１は、それを認識し、システム制御プロセス３Ｂ内の留守録モードのフラグをセット（設定）に変更する。
【００３６】
図４は、発信側端末から着信側端末への発呼時における各種装置の処理の流れを示すシーケンス図であり、図１は、着信側端末における処理を示すフローチャートである。なお、図４のシーケンス図は、着信側端末については呼制御プロセス３Ａの処理を示しており、図１のフローチャートは、呼制御プロセス３Ａ、システム制御プロセス３Ｂ及びファイルシステム３Ｃに亘る処理を示している。また、図１及び図４では、否定応答を行うような場合の流れは省略している。
【００３７】
発信側端末１２０は、着信側端末１００とのテレビ電話用の通信路を確立する場合には、着信側端末１００を特定する情報を含むＩＮＶＩＴＥメッセージを送信し、このＩＮＶＩＴＥメッセージはサーバ１１０経由で着信側端末１００に到達する（Ｓ２００）。ＩＮＶＩＴＥメッセージ内には、発信側端末１２０が要求する通信能力が記述されている。
【００３８】
ここで、この実施形態の場合、後述するような留守録モードでの応答と一般的な電話応答とで内容を異なるようにさせる通信能力が、映像通信帯域であるとする。
【００３９】
ＳＩＰには、メディア（音声や映像など）を制御したり転送したりする機能がないので、マルチメディア・セッションを記述するＳＤＰ（Ｓｅｓｓｉｏｎ  Ｄｅｓｃｒｉｐｔｉｏｎ  Ｐｒｏｔｏｃｏｌ）と組み合わせて使用される。図５は、ＩＮＶＩＴＥメッセージ内におけるＳＤＰ情報の部分の一例を示しており、通信能力に係る記述が含まれている。図５における「７＃」で始まる行は、音声通信帯域として６４Ｋｂｐｓを要求しており、「１２＃」で始まる行は、映像通信帯域として１０２４Ｋｂｐｓを要求している。
【００４０】
ＩＮＶＩＴＥメッセージを受信した着信側端末１００は、通信可能であれば（話中でなければ）、受信したＩＮＶＩＴＥメッセージの内容を確認し、許容できる能力であれば、暫定応答（１８０  Ｒｉｎｇｉｎｇ）メッセージを発信側に返信する（図１のＳ３００、Ｓ３０１、図４のＳ２０１）。なお、発信側端末１２０は、サーバ１１０経由で暫定応答メッセージを受信すると、呼出中音の再生を実施する。
【００４１】
暫定応答メッセージを返信すると、その後、着信側端末１００は、留守録モードが設定されているか否かを判別し（Ｓ３０２）、留守録モードが設定されていなければ、呼出し音を鳴動させる（Ｓ３０３）。呼出し音を鳴動させると、着信側端末１００は、オフフックされたか、呼出し中に留守録が指示されたかを判別する（Ｓ３０４、Ｓ３０５）。
【００４２】
オフフックされた場合には、着信側端末１００は、肯定的な最終応答（２００  ＯＫ）メッセージを発信側に送信する（図１のＳ３０６、図４では図示していない；図６参照）。このようなオフフックに基づく一般的な応答では、最終応答メッセージの通信能力の記述は、ＩＮＶＩＴＥメッセージで要求された能力以下の中で応じられる最大値が挿入される。
【００４３】
呼出し中に留守録が指示されると、呼出し音の鳴動を停止させて留守録モードを自動設定する（Ｓ３０７）。
【００４４】
着信時に予め留守録モードが設定されている場合や、呼出し音の鳴動を停止させて留守録モードを自動設定した後では、着信側端末１００は、今回の留守番電話内容を記憶できる記憶領域を確保した後（Ｓ３０８）、肯定的な最終応答（２００  ＯＫ）メッセージを発信側に送信する（図１のＳ３０９、図４のＳ２０２）。このような留守録モードでの応答では、最終応答メッセージの通信能力の記述は、留守録モードでの能力の上限値ｃを、ＩＮＶＩＴＥメッセージで要求された能力が超えているときには、留守録モードでの能力の上限値ｃとなる。すなわち、一般的な応答では応じられる能力がＩＮＶＩＴＥメッセージに記述されていたとしても、それが留守録モードでの能力の上限値ｃを超えているときには、留守録モードでの能力の上限値ｃが肯定的な最終応答メッセージの通信能力の記述となる。
【００４５】
なお、肯定的な最終応答メッセージにおける通信能力の記述も、図５に示したようなＩＮＶＩＴＥメッセージでの記述とほぼ同様である。
【００４６】
図１では省略しているが、肯定的な最終応答メッセージの受信に応じて、発信側端末１２０がＡＣＫ（受信応答）メッセージを返信することにより（図４のＳ２０３）、テレビ電話の通話動作、又は、留守録動作に移行する。
【００４７】
留守番電話内容の再生時には、記憶領域に付加情報として記憶された映像通信帯域も考慮されて、留守番電話内容の再生が実行される。
【００４８】
（Ａ−３）実施形態の効果
上記実施形態によれば、着信側テレビ電話端末が、着信時のネゴシエーションにおいて、相手端末への通信能力の返答動作を、一般的な応答時と留守録モードでの応答時とで変更し、留守録モードでの通信能力を平均的に見て一般的な通話時での能力より低くするようにしたので、１件の留守番電話内容の記憶に必要な容量を従来より抑えることができる。
【００４９】
例えば、従来であれば、上述したように、１件当たりの必要な記録容量は（ａ＋ｂ）×Ｘ＋固定値であるが、上記実施形態によれば、１件当たりの必要な記録容量は（ａ＋ｃ）×Ｘ＋固定値であり（ｂ＞ｃ）、概ね（ｂ−ｃ）×Ｘの容量が抑制される。
【００５０】
その結果、留守録可能な件数を従来と同様にした場合には、留守番電話機能のために用意しておく記憶容量を抑えることができて端末を安価なものにでき、一方、留守番電話機能のために用意しておく記憶容量を従来と同様にした場合には、留守録可能な件数を従来より多くすることができる。
【００５１】
また、留守録可能件数を考慮して一般的な通話時の通信帯域を抑える必要がなく、一般的な通話時の通信帯域は従来と同様であるので、一般的な通話時の通信品質も保たれ、その結果として、利用者の使い勝手を向上させることができる。
【００５２】
（Ｂ）他の実施形態
（Ｂ−１）上記実施形態では、肯定応答メッセージの映像通信帯域を、留守録モード設定時の応答と一般的な応答とで異なるようにさせたものを示したが、他の通信能力を両応答間で異なるようにさせても良い。例えば、音声通信帯域だけを応答の種類によって変えるようにしても良く、また、映像通信帯域及び音声通信帯域を共に応答の種類によって変えるようにしても良い。また例えば、映像通信帯域及び音声通信帯域の少なくとも一方の符号化方式を、応答の種類によって変えるようにしても良い。さらに例えば、映像信号における画像サイズ（図５の「１７＃」で始まる行を参照）を、応答の種類によって変えるようにしても良い。
【００５３】
（Ｂ−２）上記実施形態では、留守録モードの設定時の応答における通信能力（又はその上限値）が固定のものを示したが、留守録モードの設定時の応答における通信能力を可変できるものであっても良い。
【００５４】
例えば、テレビ電話端末の初期設定を実行させる際に、利用者に、留守番電話内容の品質（例えば映像品質）を優先させるか記憶可能な件数の最大値を優先させるかを、キー操作部１３を用いて入力させ、後者が選択された場合には、前者が選択された場合より小さい通信能力（又はその上限値）を設定値して記憶させ、以降、この設定値を、留守録モードの設定時の応答における通信能力に含めるようにしても良い。
【００５５】
また例えば、発信側端末から要求された能力の、所定割合（例えば５割）の値に最も近い能力を留守録モード設定時の応答における通信能力とするようにしても良い。すなわち、発信側端末から要求された能力に応じて、留守録モードでの通信能力を切り替えるようにしても良い。また、要求能力と、留守録モード設定時の通信能力とを対応付けて格納しているテーブルを予め用意しておき、ＣＰＵが、この格納テーブルをアクセスして、留守録モード設定時の応答に記述する通信能力を取得するようにしても良い。
【００５６】
さらに例えば、既に留守録されている件数（又は、留守録可能な残り件数）に応じて、留守録モード設定時の応答における通信能力を切り替えるようにしても良い。例えば、既に記憶している留守録件数が１〜５件の間は、一般的な応答と同様な通信能力Ａを留守録モード設定時の応答に記述し、６〜１０件の間は、上記通信能力Ａより１段階低下した通信能力を留守録モード設定時の応答に記述し、１１件以上では、上記通信能力Ａより２段階低下した通信能力を留守録モード設定時の応答に記述するようにしても良い。
【００５７】
（Ｂ−３）上記実施形態では、記述する通信能力を、留守録モードの設定有無で切り替える応答メッセージが最終的な応答メッセージ（２００  ＯＫメッセージ）であるものを示したが、暫定応答メッセージ（１８０  Ｒｉｎｇｉｎｇメッセージ）における通信能力の記述を、留守録モードの設定有無で切り替えるようにしても良い。
【００５８】
（Ｂ−４）上記実施形態では、本発明をテレビ電話通信システムに適用した場合を示したが、音声信号だけを授受する電話通信システムに対しても本発明を適用することができる。また、通信路の確立のための情報授受プロトコルがＳＩＰであるものを示したが、通信路の確立のために通信能力を授受することを要するプロトコルであれば良く、ＳＩＰに限定されるものではない。
【００５９】
（Ｂ−５）上記実施形態では、留守番電話機能を搭載した装置が電話端末であるものを示したが、留守番電話サービスを提供しているキャリアのサーバ（電話通信用キャリアサーバ）に、本発明による留守番電話機能を搭載するようにしても良い。
【００６０】
（Ｂ−６）上記実施形態では、留守録モードの設定有無で、応答メッセージに含める通信能力を切り替えるものを示したが、他の機能に係るモードの設定状態によって、応答メッセージに含める通信能力を切り替えるようにしても良い。例えば、転送先端末へ着信内容を転送する転送モードが設定されているときと、設定されていないときとで、応答メッセージに含める通信能力を切り替える（前者の方が平均的能力は小さい）ようにしても良い。また、設定状態が３種類以上ある電話通信機能においては、そのうちの第１の設定状態と第２の設定状態とで通信能力を切り替えるようにしても良い。例えば、留守番電話機能に関し、機能ＯＦＦを状態１、音声信号のみを保存可能な機能ＯＮを状態２、音声信号及び映像信号を保存可能な機能ＯＮを状態３とし、状態毎に、又は、状態を２グループに分けて、通信能力を切り替えるようにしても良い。
【００６１】
要は、モードの設定状態で、対向装置へ返信する通信能力を切り替えたい電話通信機能（留守番電話機能や転送機能に限定されない）を実行可能な装置に広く、本発明を適用することができる。
【図面の簡単な説明】
【００６２】
【図１】実施形態のテレビ電話端末における着信時の特徴動作を示すフローチャートである。
【図２】実施形態のテレビ電話端末のハードウェア構成を示すブロック図である。
【図３】実施形態のテレビ電話端末における処理プログラムの一部構成を示す説明図である。
【図４】実施形態の発信側端末から着信側端末への発呼時における各種装置の処理の流れを示すシーケンス図である。
【図５】実施形態のＩＮＶＩＴＥメッセージ内におけるＳＤＰ情報部分の一例を示す説明図である。
【図６】従来の発信側端末から着信側端末への発呼時における各種装置の処理の流れを示すシーケンス図である。
【符号の説明】
【００６３】
１…ＣＰＵ、２…ワークメモリ、３…プログラムメモリ、３Ａ…呼制御プロセス、３Ｂ…システム制御プロセス、３Ｃ…ファイルシステム、４…液晶表示制御手段、５…液晶ディスプレイ、６…カメラ制御手段、７…カメラモジュール、８…スピーカ制御手段、９…スピーカ、１０…マイク制御手段、１１…マイクロフォン、１２…ＬＡＮコントローラ、１３…キー操作部、１００…テレビ電話端末、着信側端末、１１０…サーバ、１２０…発信側端末。
【図１】
2008182617.tif 000003
【図２】
2008182617.tif 000004
【図３】
2008182617.tif 000005
【図４】
2008182617.tif 000006
【図５】
2008182617.tif 000007
【図６】
2008182617.tif 000008